(57)【特許請求の範囲】
【請求項１】
携帯電話端末にソフトウェア更新の必要が生じた場合、ダウンロードした更新用ソフトウェアを、無線基地局装置にコピーしておき、その更新用ソフトウェアをダウンロードした携帯電話端末が他の無線基地局装置のエリアに移動した際、前記他の無線基地局装置に更新用ソフトウェアが存在するか確認し、存在しなければ、前記携帯電話端末が更新用ソフトウェアをアップロードすることで、前記他の無線基地局装置にコピーしておき、他の携帯電話端末ユーザが、ソフトウェアダウンロードを実施したときに、前記他の無線基地局装置にコピー済みの前記更新用ソフトウェアを使用してダウンロードを実施することを特徴とする端末ソフトウェアダウンロードシステム。
【請求項２】
携帯電話端末にソフトウェア更新の必要が生じた場合、ダウンロードした更新用ソフトウェアを、無線基地局装置にコピーしておき、その更新用ソフトウェアをダウンロードした携帯電話端末が他の無線基地局装置のエリアに移動した際、前記他の無線基地局装置に更新用ソフトウェアが存在するか確認し、存在しなければ、前記携帯電話端末が更新用ソフトウェアをアップロードすることで、前記他の無線基地局装置にコピーしておき、他の携帯電話端末ユーザが、ソフトウェアダウンロードを実施したときに、前記他の無線基地局装置にコピー済みの前記更新用ソフトウェアを使用してダウンロードを実施することを特徴とする端末ソフトウェアダウンロードシステムに用いる端末ソフトウェアダウンロード方法。
【請求項３】
コンピュータシステムに、携帯電話端末にソフトウェア更新の必要が生じた場合、ダウンロードした更新用ソフトウェアを、無線基地局装置にコピーしておき、その更新用ソフトウェアをダウンロードした携帯電話端末が他の無線基地局装置のエリアに移動した際、前記他の無線基地局装置に更新用ソフトウェアが存在するか確認し、存在しなければ、前記携帯電話端末が更新用ソフトウェアをアップロードすることで、前記他の無線基地局装置にコピーしておき、他の携帯電話端末ユーザが、ソフトウェアダウンロードを実施したときに、前記他の無線基地局装置にコピー済みの前記更新用ソフトウェアを使用してダウンロードを実施する機能を実現させることを特徴とするプログラム。
【発明の詳細な説明】
【技術分野】
【０００１】
本発明は、本発明は、主に携帯電話端末にソフトウェア更新の必要が発生したとき、ソフトウェアサーバへの負荷を減少させること、およびソフトウェアダウンロード時に発生するネットワークのトラヒックを削減する技術に関する。
【背景技術】
【０００２】
携帯電話端末がソフトウェア更新の必要が生じた場合、携帯電話端末のユーザが一斉にソフトウェアダウンロードを開始しようとするため、ソフトウェアサーバに負荷を与えることになる。また、有線、無線回線の負荷が増大し、有線、無線回線のリソースを使い切ることが多くなり、他のユーザのデータ転送にも干渉を与えることになる。このため、移動体通信システムの運用に影響を与えないソフトウェア更新方法が必要となる。
【０００３】
この問題を解決する従来の方法は、携帯電話端末ごとにダウンロード時刻をずらすという方式が一般的である。たとえば、ソフトウェアサーバ側から、携帯電話端末のユーザに対し予め、ソフトウェアダウンロード時刻を選択させ、ダウンロード時刻をずらすという方法である。
【０００４】
ここで、基地局は、当該エリア内に常時送信している待ち受け動作用の報知情報に無線通信端末が内蔵するソフトウェアを変更するための情報を挿入して送信すると共に該報知情報とは異なる周波数を用いて無線通信端末が内蔵するソフトウェアを変更するためのソフト情報を常時繰り返し配信し、無線通信端末は、基地局から受信した報知情報に含まれている前記ソフトウェアを変更するための情報を抽出し、該抽出した情報中に当該無線通信端末が内蔵するソフトウェアモジュールに関連する情報が存在しかつ新バージョンのとき、前記ソフト情報を配信している周波数の受信に遷移し、該受信したソフト情報を元に当該無線通信端末内蔵のソフトウェアモジュールをバージョンアップすることで、通信事業者やユーザの負担を小さくし、比較的簡単な構成、かつトラフィックの増加を最小限に抑えて通信用ソフトウェアを配信する技術が提案されている（例えば、特許文献１参照）。
【０００５】
また、中継装置が、集合加入者線伝送装置に送信すべき制御要求を蓄積するための第１のバッファメモリと、上記集合加入者線伝送装置に送信すべきダウンロードすべきデータを蓄積するための第２のバッファメモリと、制御要求を含む保守フレームおよびダウンロードデータを含むダウンロードフレームを生成して、上記集合加入者線伝送装置に送信するための制御部を有し、上記制御部が、通信網から集合加入者線伝送装置に向かう中継フレームのトラフィック状態と、送信待ち制御要求の蓄積状態に応じて、ダウンロードフレームの送信を制御することで、集合加入者線伝送装置と中継装置とからなる伝送システムにおいて、監視制御および主信号フレームの転送に悪影響を与えることなく、集合中継装置から各集合加入者線伝送装置へのファームウェアダウンロードを可能にする技術が提案されている（例えば、特許文献２参照）。
【０００６】
また、他の移動局から制御プログラムのバージョン情報を取得する手段と，自局の制御プログラムのバージョンが古いか否かを確認する手段と，他の移動局に対し制御プログラムの送信を要求する手段と，他の移動局から制御プログラムを受信し記憶部に格納する手段と，他の移動局に自局バージョン情報を送信する手段と，自局の制御プログラムを送信する手段を有し，基地局から制御プログラムを取得した場合は，同制御プログラムを取得していない別の移動局からの要求に応答して制御プログラムを送信し，さらに他の移動局から制御プログラムを取得した場合は，同制御プログラムを有していない他の移動局からの要求に応答して修正制御プログラムを送信することで、基地局からプログラムをダウンロードした移動局を始点として，移動局同士で基地局を介さずに順次にダウンロードを行う技術が提案されている（例えば、特許文献３参照）。
【０００７】
また、運用管理部がダウンロード元の切り換え処理を行い、ダウンロード元がセンタ制御部の場合は、センタ間通信制御部が回線を介してチャネル確立などを行い、ダウンロードデータ送受信処理の実行によりダウンロードデータをメモリ管理部に保存し、基地局の場合は、基地局間通信制御部を介してダウンロードデータの送受信処理を行い、同様に、ダウンロードデータをメモリ管理部に保存し、ビハインド基地局の下にも基地局が接続された場合には、基地局間のダウンロード処理で構成情報を通知し、上位基地局は、自己に接続されたビハインド基地局の以下につながる基地局や無線制御部などの構成要素を１単位の構成情報として管理し、これらにより、基地局間の接続形態およびセンタとの接続の有無によってもダウンロード処理を共通の手順で行う技術が提案されている（例えば、特許文献４参照）。
【０００８】
また、基地局の要求に応じて管理制御装置からローカル情報がダウンロードされたときに、このローカル情報を当該基地局から要求元の移動局に転送するとともに、当該ローカル情報を基地局のデータ記憶部に追加記憶または更新記憶することは有効であるか否かを、当該ローカル情報の更新頻度と移動局からのアクセス頻度との比をしきい値と比較することにより判定し、当該ローカル情報を記憶することは有効であると判定すると、当該ローカル情報をデータ記憶部に追加記憶あるいは更新記憶し、一方有効性が低いと判定した場合には当該ローカル情報の追加記憶あるいは更新記憶を行わないことで、適切なメモリ管理を行うことで、基地局が保有する有限のデータベース用メモリを有効に使用してローカル情報のダウンロードサービスを実現する技術が提案されている（例えば、特許文献５参照）。
【特許文献１】特開２００５−２５１０２８号公報
【特許文献２】特開２００６−１４８４１２号公報
【特許文献３】特開２００７−１０４４４９号公報
【特許文献４】特開平０８−０２３５７２号公報
【特許文献５】特開平１１−１０３４９０号公報
【発明の開示】
【発明が解決しようとする課題】
【０００９】
しかしながら、上述の関連技術では、ソフトウェアダウンロードによるソフトウェアサーバへの負荷の分散になるだけで、全体的な負荷総量は改善されないという問題点があった。また、ソフトウェアダウンロード時に発生するネットワークのトラヒックを削減することができないという問題があった。
【００１０】
本発明は、以上のような課題を解決するためになされたもので、携帯電話端末がソフトウェア更新を実施する際に、サーバの負荷を軽減することが可能になる、また、ソフトウェアダウンロード時に発生するネットワークのトラヒックを削減することが可能になる端末ソフトウェアダウンロードシステム、それに用いる端末ソフトウェアダウンロード方法およびプログラムを提供することを目的とする。
【課題を解決するための手段】
【００１１】
本発明の端末ソフトウェアダウンロードシステムは、携帯電話端末にソフトウェア更新の必要が生じた場合、ダウンロードした更新用ソフトウェアを、無線基地局装置にコピーしておき、その更新用ソフトウェアをダウンロードした携帯電話端末が他の無線基地局装置のエリアに移動した際、前記他の無線基地局装置に更新用ソフトウェアが存在するか確認し、存在しなければ、前記携帯電話端末が更新用ソフトウェアをアップロードすることで、前記他の無線基地局装置にコピーしておき、他の携帯電話端末ユーザが、ソフトウェアダウンロードを実施したときに、前記他の無線基地局装置にコピー済みの前記更新用ソフトウェアを使用してダウンロードを実施することを特徴とする。
【００１３】
また、本発明の端末ソフトウェアダウンロードシステムに用いる端末ソフトウェアダウンロード方法は、携帯電話端末にソフトウェア更新の必要が生じた場合、ダウンロードした更新用ソフトウェアを、無線基地局装置にコピーしておき、その更新用ソフトウェアをダウンロードした携帯電話端末が他の無線基地局装置のエリアに移動した際、前記他の無線基地局装置に更新用ソフトウェアが存在するか確認し、存在しなければ、前記携帯電話端末が更新用ソフトウェアをアップロードすることで、前記他の無線基地局装置にコピーしておき、他の携帯電話端末ユーザが、ソフトウェアダウンロードを実施したときに、前記他の無線基地局装置にコピー済みの前記更新用ソフトウェアを使用してダウンロードを実施することを特徴とする。
【００１５】
また、本発明のプログラムは、コンピュータシステムに、携帯電話端末にソフトウェア更新の必要が生じた場合、ダウンロードした更新用ソフトウェアを、無線基地局装置にコピーしておき、その更新用ソフトウェアをダウンロードした携帯電話端末が他の無線基地局装置のエリアに移動した際、前記他の無線基地局装置に更新用ソフトウェアが存在するか確認し、存在しなければ、前記携帯電話端末が更新用ソフトウェアをアップロードすることで、前記他の無線基地局装置にコピーしておき、他の携帯電話端末ユーザが、ソフトウェアダウンロードを実施したときに、前記他の無線基地局装置にコピー済みの前記更新用ソフトウェアを使用してダウンロードを実施する機能を実現させることを特徴とする。
【発明の効果】
【００１７】
本発明によれば、携帯電話端末がソフトウェア更新を実施する際に、サーバの負荷を軽減することが可能になる、また、ソフトウェアダウンロード時に発生するネットワークのトラヒックを削減することが可能になる。
【発明を実施するための最良の形態】
【００１８】
以下、本発明の実施の形態について図面を参照して詳細に説明する。図１に示す本実施の形態における端末ソフトウェアダウンロードシステムにおいて、携帯電話端末（１）および携帯電話端末（２）はソフトウェア更新が可能な携帯電話端末である。
【００１９】
本発明においては、携帯電話端末（１）および携帯電話端末（２）にソフトウェア更新が必要となった場合の方法について説明する。
【００２０】
無線基地局装置（１０）〜無線基地局装置（１３）は、アンテナを具備し、携帯電話端末（１）および携帯電話端末（２）との無線回線を使用した通信を実施している。
【００２１】
無線基地局装置（１０）〜無線基地局装置（１３）は、中継装置（２０）や中継装置（２１）と有線回線で接続され、携帯電話端末（１）および携帯電話端末（２）からのデータの送受信を実施している。
【００２２】
また、無線基地局装置（１０）〜無線基地局装置（１３）はおのおの、メモリ（１００）〜メモリ（１０３）を具備し、各種データを保存することが可能となっている。
【００２３】
中継装置（２０）および中継装置（２１）はネットワーク（３０）と有線回線で接続され、携帯電話端末（１）および携帯電話端末（２）からのデータをネットワーク（３０）へ中継している。
【００２４】
サーバ（４０）はソフトウェアサーバであり、携帯電話端末（１）および携帯電話端末（２）に対し更新するソフトウェアを格納してあるサーバである。サーバ（４０）は、ネットワーク（３０）に接続されており、携帯電話端末（１）および携帯電話端末（２）とデータの送受信が可能となる。
【００２５】
図２は、図１に示す本発明に関する動作を説明するための図である。例として、携帯電話端末（１）および携帯電話端末（２）がソフトウェア更新を実施するときを説明する。
【００２６】
図１、および図２では、説明を簡単にするため、２台の携帯電話端末の場合について示しているが、３台以上の携帯電話端末であっても同様に可能である。
【００２７】
まず、携帯電話端末（１）のソフトウェア更新が必要であるとき、携帯電話端末（１）が、サーバ（４０）に対し、ソフトウェア更新のためにソフトウェアダウンロードを要求する。ソフトウェアダウンロード要求は携帯電話端末（１）のユーザが自分で実施しても、携帯電話端末（１）が自動的に実施してもよい。
【００２８】
ソフトウェアダウンロード要求は、携帯電話端末（１）から無線回線を経由し、無線基地局装置（１０）が受信する。無線基地局装置（１０）は無線信号を有線信号に変換し、中継装置（２０）に送信する。中継装置（２０）はネットワーク（３０）を経由し、サーバ（４０）が受信する。
【００２９】
サーバ（４０）は、携帯電話端末（１）のソフトウェアダウンロード要求を受け、更新するソフトウェアが無線基地局装置（１０）に具備するメモリ（１００）に存在するかどうか問い合わせを実施する。
【００３０】
無線基地局装置（１０）は、メモリ（１００）に更新するソフトウェアの存在有無をサーバ（４０）に応答する。無線基地局装置（１０）に具備するメモリ（１００）に存在しない場合、サーバ（４０）は携帯電話端末（１）に直接ソフトウェアダウンロードを実施する。
【００３１】
携帯電話端末（１）は、サーバ（４０）からの送信されたソフトウェアを受信し、携帯電話端末（１）のソフトウェアを更新する。このときソフトウェア送受信の経路である無線基地局装置（１０）は、無線基地局装置（１０）に具備してあるメモリ（１００）に、更新するソフトウェアを携帯電話端末（１）に送信しながら、同時にメモリ（１００）にコピーしておく。
【００３２】
次に、携帯電話端末（２）がソフトウェア更新を実施する場合、先に示した方法と同様に、携帯電話端末（２）は、サーバ（４０）に対し、ソフトウェア更新のためにソフトウェアダウンロードを要求する。このとき、サーバ（４０）は無線基地局装置（１０）に対し、更新するソフトウェアが無線基地局装置（１０）に具備するメモリ（１００）に存在するかどうか問い合わせる。
【００３３】
このとき、先に説明した方法により、すでにメモリ（１００）には更新するソフトウェアが存在する。そのため、携帯電話端末（２）はサーバ（４０）からソフトウェアをダウンロードせず、無線基地局装置（１０）から直接ダウンロードを実施することができる。
【００３４】
本実施の形態による、第一の効果は、携帯電話端末がソフトウェア更新を実施する際に、サーバの負荷を軽減することが可能になることである。その理由は、直接サーバから更新するソフトウェアをダウンロードする必要がないことである。
【００３５】
第二の効果は、ソフトウェアダウンロード時に発生するネットワークのトラヒックを削減することが可能になることである。その理由は、直接サーバから更新するソフトウェアをダウンロードしないため、ソフトウェアはネットワークを経由しないからである。
【００３６】
以下、発明の第二の実施の形態を説明する。基本的構成、方法は図１、および図２と同一であるが、図１における携帯電話端末（２）が他の無線基地局装置のエリアに存在する場合について、図３、および図４を用いて説明する。
【００３７】
携帯電話端末（２）が無線基地局装置（１１）のエリアに存在する場合について説明する。第一の実施の形態と同じ方法では、無線基地局装置（１０）に更新するソフトウェアに具備するメモリ（１００）に保存されるため、無線基地局装置（１１）に具備するメモリ（１０１）に更新するソフトウェアは保存されていない。この問題を解決するために、無線基地局装置（１０）〜無線基地局装置（１３）に具備するメモリ（１００）〜メモリ（１０３）と同じ原理を持つメモリを中継装置（２０）にも具備する（メモリ（２００）〜メモリ（２０１）。
【００３８】
このとき第一の実施の形態と同様に、中継装置（２０）は、無線基地局装置（１０）に対し、更新するソフトウェアを送信しながら、同時にメモリ（２００）にコピーしておく。
【００３９】
その後、携帯電話端末（２）がソフトウェア更新を実施する場合、まず、携帯電話端末（２）はサーバ（４０）に対し、ソフトウェア更新のために、ソフトウェアダウンロードを要求する。サーバ（４０）は、携帯電話端末（２）のソフトウェアダウンロード要求を受け、更新するソフトウェアが無線基地局装置（１１）に具備するメモリ（１０１）に存在するかどうか問い合わせを実施する。
【００４０】
無線基地局装置（１１）は、メモリ（１０１）に更新するソフトウェアの存在有無をサーバ（４０）に応答する。
【００４１】
無線基地局装置（１１）に具備するメモリ（１０１）に存在しない場合、サーバ（４０）は、中継装置（２０）に対し、更新するソフトウェアが中継装置（２０）に具備するメモリ（２００）に存在するかどうか問い合わせを実施する。
【００４２】
中継装置（２０）は、メモリ（２００）に更新するソフトウェアの存在有無をサーバ（４０）に応答する。中継装置（２０）は、メモリ（２００）に更新するソフトウェアをコピーしているため、中継装置（２０）のメモリ（２００）にコピーしておいたソフトウェアからダウンロードすることにより、携帯電話端末（２）のソフトウェアが更新できる。
【００４３】
本実施の形態による、第一の効果は、携帯電話端末がソフトウェア更新を実施する際に、サーバの負荷を軽減することが可能になることである。その理由は、第一の実施の形態と同じである。
【００４４】
第二の効果は、ソフトウェアダウンロード時に発生するネットワークのトラヒックを削減することが可能になることである。その理由は、第一の実施の形態と同じである。
【００４５】
以下、発明の第三の実施の形態を説明する。基本的構成は図３と同一であるが、第三の実施の形態として、図５、および図６を用いて説明する。
【００４６】
携帯電話端末（１）が更新するソフトウェアをダウンロードする際に、無線基地局装置（１０）に具備するメモリ（１００）に更新するソフトウェアをコピーする点は、発明の実施の形態と同じである。ただし中継装置（２０）は、周辺の基地局装置、図５では無線基地局装置（１１）に対しても同様に、更新するソフトウェアをダウンロードする。無線基地局装置（１１）は、無線基地局装置（１１）に具備するメモリ（１０１）に更新するソフトウェアをコピーしておく。
【００４７】
次に、携帯電話端末（２）がソフトウェア更新を実施する場合、先に示した方法と同様に、携帯電話端末（２）は、サーバ（４０）に対し、ソフトウェア更新のためにソフトウェアダウンロードを要求する。このとき、サーバ（４０）は無線基地局装置（１１）に対し、更新するソフトウェアが無線基地局装置（１１）に具備するメモリ（１０１）に存在するかどうか問い合わせる。
【００４８】
このとき、先に説明した方法により、すでにメモリ（１０１）には更新するソフトウェアが存在する。そのため、携帯電話端末（２）はサーバ（４０）からソフトウェアをダウンロードせず、無線基地局装置（１１）から直接ダウンロードを実施することができる。
【００４９】
本実施の形態による効果は、中継装置にはメモリを具備する必要がないことである。その理由は、無線基地局装置が他の無線基地局装置に対し、更新するソフトウェアをコピーするため、中継装置に更新するソフトウェアを保存する必要がないからである。
【００５０】
以下、本発明の第四の実施の形態を説明する。基本的構成は図５、および図６と同一であるが、図５、図６における携帯電話端末（２）が他の無線基地局装置のエリア（無線基地局装置（１２））に存在する場合について、図７、および図８を用いて説明する。
【００５１】
携帯電話端末（１）が更新するソフトウェアをダウンロードする際に、無線基地局装置（１０）に具備するメモリ（１００）に更新するソフトウェアをコピーする点は、発明の実施の形態と同じである。しかし、無線基地局装置（１２）に具備するメモリ（１０２）にはソフトウェアが保存されていない。このとき、第三の実施の形態の方法を使用すると、ソフトウェアをコピーするためにネットワーク（３０）を使用しなければならなく、本発明の特徴である、ネットワークの負荷の削減が達成できない。この問題を解決する方法を説明する。
【００５２】
携帯電話端末（１）は更新するソフトウェアを無線基地局装置（１０）のエリア内にてダウンロード後、無線基地局装置（１２）のエリア内（携帯電話端末（１’））に移動したとき、無線基地局装置（１２）に具備するメモリ（１０２）に更新するソフトウェアが存在するかどうか確認する。もし、無線基地局装置（１２）に具備するメモリ（１０２）に更新するソフトウェアが存在しなければ、携帯電話端末（１）は、更新するソフトウェアを無線基地局装置（１２）に具備するメモリ（１０２）にアップロードする。無線基地局装置（１２）は、無線基地局装置（１２）に具備するメモリ（１０２）に更新するソフトウェアをコピーしておく。
【００５３】
次に、携帯電話端末（２）がソフトウェア更新を実施する場合、先に示した方法と同様に、携帯電話端末（２）は、サーバ（４０）に対し、ソフトウェア更新のためにソフトウェアダウンロードを要求する。このとき、サーバ（４０）は無線基地局装置（１２）に対し、更新するソフトウェアが無線基地局装置（１２）に具備するメモリ（１０２）に存在するかどうか問い合わせる。このとき、先に説明した方法により、すでにメモリ（１０２）には更新するソフトウェアが存在する。そのため、携帯電話端末（２）はサーバ（４０）からソフトウェアをダウンロードせず、無線基地局装置（１２）から直接ダウンロードを実施することができる。
【００５４】
本実施の形態による効果は、無線基地局装置のメモリに更新するソフトウェアをコピーするときに有線回線を必要としないことである。その理由は、携帯電話端末が、他の無線基地局装置に更新するソフトウェアをアップロードし、無線基地局装置のメモリに更新するソフトウェアをコピーするからである。
【００５５】
なお、上述する各実施の形態は、本発明の好適な実施の形態であり、本発明の要旨を逸脱しない範囲内において種々変更実施が可能である。例えば、携帯電話端末、無線基地局装置、中継装置、ソフトウェアサーバの機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００５６】
【図１】本発明の実施の形態に係る携帯電話端末、無線基地局装置、中継装置、ネットワークおよび、サーバの接続構成を示す図である。
【図２】本発明の実施の形態に係るソフトウェアダウンロードシーケンス１を示す図である。
【図３】本発明の実施の形態に係る携帯電話端末が別のエリアにいる場合のソフトウェアダウンロード方法１を示す図である。
【図４】本発明の実施の形態に携帯電話端末が別のエリアにいる場合のソフトウェアダウンロードシーケンスを示す図である。
【図５】本発明の実施の形態に係る携帯電話端末が別のエリアにいる場合のソフトウェアダウンロード方法２を示す図である。
【図６】本発明の実施の形態に係る携帯電話端末が別のエリアにいる場合のソフトウェアダウンロードシーケンス２を示す図である。
【図７】本発明の実施の形態に係る携帯電話端末が移動した場合のソフトウェアダウンロード方法を示す図である。
【図８】本発明の実施の形態に係る携帯電話端末が移動した場合のソフトウェアダウンロードシーケンスを示す図である。
【符号の説明】
【００５７】
（１）、（２）    携帯電話端末
（１０）〜（１３）    無線基地局装置
（２０）、（２１）    中継装置
（３０）    ネットワーク
（４０）    ソフトウェアサーバ
（１００）〜（１０３）    メモリ
（２００）〜（２０１）    メモリ
【図１】
0005092708.tif 000002
【図２】
0005092708.tif 000003
【図３】
0005092708.tif 000004
【図４】
0005092708.tif 000005
【図５】
0005092708.tif 000006
【図６】
0005092708.tif 000007
【図７】
0005092708.tif 000008
【図８】
0005092708.tif 000009